(57)【要約】【課題】製材後に床材が変形した場合でも、固定金具が合わなくなるという不具合を解消し、施工を速やかに行うことができる床材の固定構造を提供すること。【解決手段】固定金具３に、大径部３１の端部に小径の軸部３２を突設するとともに大径部３１の直径方向にビス孔３３を形成した固定金具３を用い、該固定金具３の軸部３２を床材２の側面に形成した穴２１に挿入するとともに、大径部３１のビス孔３３に挿入したタッピングビス３４により、固定金具３を介して、床材２を根太材１に固定する。【選択図】図１
0003117777.tif 000002
【実用新案登録請求の範囲】
【請求項１】
所要間隔で並設された根太材の上に、複数の床材を固定金具により根太材に対して略直交方向に敷設する床材の固定構造において、固定金具に、大径部の端部に小径の軸部を突設するとともに大径部の直径方向にビス孔を形成した固定金具を用い、該固定金具の軸部を床材の側面に形成した穴に挿入するとともに、固定金具の大径部のビス孔に挿入したビスにより、固定金具を介して、床材を根太材に固定したことを特徴とする床材の固定構造。
【請求項２】
前記軸部を大径部の両端に突設したことを特徴とする請求項１記載の床材の固定構造。
【請求項３】
軸部の周面にローレット加工を施したことを特徴とする請求項１又は２記載の床材の固定構造。
【考案の詳細な説明】
【技術分野】
【０００１】
本考案は、床材を根太材に固定する床材の固定構造に関し、特に、製材後に床材が変形した場合でも、固定金具が合わなくなるという不具合を解消し、施工を速やかに行うことができる床材の固定構造に関するものである。
【背景技術】
【０００２】
従来、この種の床材の固定構造は、所要間隔で略平行に配設された複数の根太材上に、幅方向両側面にその長手方向に沿って形成された溝部を有する床材を、固定金具により根太材に対して略直交方向に前記溝部を利用して複数敷設する構造が知られている（特許文献１参照）。
【０００３】
前記固定金具は、略コ字状又はカギ型に屈曲形成した金具部材が、２個互いに背中合わせに突き合わせて溶接により接合一体化して断面工形又はレール形とされ、両金具部材の上部片が床材への係止部とされると共に、両金具部材の下部片を根太材への取付部とされ、前記両金具部材の取付部に、根太材の幅方向両側面にそれぞれ当接する位置決め片が、床材の長手方向に対応する端部の一方の対角位置のみに下向きに屈曲形成されている。
【０００４】
ところで、上記従来の床材の固定構造は、工場で予め長手方向に沿って形成した床材の溝部を利用し、この溝部に固定金具を掛止して床材を固定するが、床材は製材後に時間がたつと、濡れや湿気によって反ったり厚みが変わったりすることから、略コ字状又はカギ型に屈曲形成した金具部材がこの溝部に合わなくなることがあり、施工に手間取るという問題があった。
【特許文献１】特許第３４７７４０７号公報
【考案の開示】
【考案が解決しようとする課題】
【０００５】
本考案は、上記従来の床材の固定構造が有する問題点に鑑み、製材後に床材が変形した場合でも、固定金具が合わなくなるという不具合を解消し、施工を速やかに行うことができる床材の固定構造を提供することを目的とする。
【課題を解決するための手段】
【０００６】
上記目的を達成するため、本考案の床材の固定構造は、所要間隔で並設された根太材の上に、複数の床材を固定金具により根太材に対して略直交方向に敷設する床材の固定構造において、固定金具に、大径部の端部に小径の軸部を突設するとともに大径部の直径方向にビス孔を形成した固定金具を用い、該固定金具の軸部を床材の側面に形成した穴に挿入するとともに、固定金具の大径部のビス孔に挿入したビスにより、固定金具を介して、床材を根太材に固定したことを特徴とする。
【０００７】
この場合において、前記軸部を大径部の両端に突設することができる。
【０００８】
また、軸部の周面にローレット加工を施すことができる。
【考案の効果】
【０００９】
本考案の床材の固定構造によれば、所要間隔で並設された根太材の上に、複数の床材を固定金具により根太材に対して略直交方向に敷設する床材の固定構造において、固定金具に、大径部の端部に小径の軸部を突設するとともに大径部の直径方向にビス孔を形成した固定金具を用い、該固定金具の軸部を床材の側面に形成した穴に挿入するとともに、固定金具の大径部のビス孔に挿入したビスにより、固定金具を介して、床材を根太材に固定することから、固定金具の軸を挿入する床材の穴はドリルにより現場で施工することができ、これにより、床材が濡れや湿気によって変形した場合でも、固定金具が合わなくなるという不具合を解消し、施工を速やかに行うことが可能となる。
【００１０】
この場合、前記軸部を大径部の両端に突設することにより、隣接する床材の両方を固定することができる。
【００１１】
また、軸部の周面にローレット加工を施すことにより、床材の穴に挿入した軸部を抜けにくくし、次の床材への軸部の挿入や固定金具のビス止めを容易にすることができる。
【考案を実施するための最良の形態】
【００１２】
以下、本考案の床材の固定構造の実施の形態を、図面に基づいて説明する。
【実施例１】
【００１３】
図１〜図６に、本考案の床材の固定構造の一実施例を示す。
この床材の固定構造は、所要間隔で略平行に配設された複数の根太材１上に、複数の床材２を固定金具３により根太材１に対して略直交方向に敷設している。
そして、この床材の固定構造は、固定金具３に、大径部３１の端部に小径の軸部３２を突設するとともに大径部３１の直径方向にビス孔３３を形成した固定金具３を用い、該固定金具３の軸部３２を床材２の側面に形成した穴２１に挿入するとともに、大径部３１のビス孔３３に挿入したタッピングビス３４により、固定金具３を介して、床材２を根太材１に固定するようにしている。
【００１４】
根太材１は、図５に示すように、例えば、チャネル状の金属材からなり、コンクリートスラブ上に設置するようにした支持脚４、該支持脚４に螺合する高さ調整ボルト５、該高さ調整ボルト５の上部に固定された根太受け６等を介して、互いに平行に所定の間隔で配置されている。
なお、根太材１の支持構造は、本実施例のものに限定されず、例えば、コンクリートスラブに下部を埋設するようにしたアンカーボルト等からなる支持構造を採用することもできる。
【００１５】
床材２は、図３に示すように、例えば、長さ２〜３ｍ、幅約１００ｍｍ、厚み約３０ｍｍ程度のフローリング材やデッキ材と呼ばれる長尺の木材からなり、複数の床材２が、根太材１に対して略直交方向に、約６ｍｍの間隔を設けて平行に敷設され、フローリングやウッドデッキ等の床が構成される。
【００１６】
一方、固定金具３は、図２に示すように、短円柱状の大径部３１と、該大径部３１の端部から一体かつ同軸に突設された小径の軸部３２と、大径部３１の直径方向に形成されたビス孔３３と、該大径部３１のビス孔３３に挿入され固定金具３を根太材１に固定するタッピングビス３４とを備えている。
前記軸部３２は、端部に位置する床材２を固定する固定金具３には１本、その他の位置の床材２を固定する固定金具３には、大径部３１の両端に１本ずつ突設することができる。
この場合、軸部３２の周面にローレット加工３５を施すことができる。ローレット加工３５は、軸部３２が１本の場合はその軸部３２に、また、軸部３２が２本の場合は一方の軸部３２に形成することができ、これにより、床材２の穴２１に打ち込んだ軸部３２を抜けにくくし、次の床材２への軸部３２の挿入や固定金具３のビス止めを容易にすることができる。
【００１７】
次に、本実施例の床材の固定構造の施工方法を説明する。
（１）デッキの端部から床材２を根太材１に固定する。
図３に示すように、固定金具３の軸部３２が挿入される穴２１を、ゲージ金物等を使用して床材２の両側面にドリルで穿設する。
図１（ｂ）にも示すように、軸部３２が１本の固定金具３を用い、この軸部３２を床材２の穴２１に差し込んで、固定金具３をビス孔３３を介してタッピングビス３４により根太材１に固定する。
（２）デッキの中央部の床材２を根太材１に固定する。
図４に示すように、床材２は横に順次穴２１を開け、床材２に固定金具３の軸部３２を差し込みタッピングビス３４で根太材１に固定する。
固定金具３は、図１（ｃ）にも示すように、軸部３２が２本の固定金具３を用いる。
（３）床材２の長手繋ぎ
図５に示すように、床材２の長手繋ぎ位置は根太材１の中央で行い、固定金具３は２個取り付ける。
（４）デッキの終端部で床材２を根太材１に固定する。
図６に示すように、終り側は床材２を隙間寸法にカットするとともに、固定金具３の軸部３２が挿入される穴２１を床材２の側面に穿設する。
軸部３２が１本の固定金具３を用い、この軸部３２を床材２の穴２１に差し込んで、固定金具３をビス孔３３を介してタッピングビス３４により根太材１に固定する。
【００１８】
かくして、本実施例の床材の固定構造は、所要間隔で略平行に配設された複数の根太材１上に、複数の床材２を固定金具３により根太材１に対して略直交方向に敷設する床材の固定構造において、固定金具３に、大径部３１の端部に小径の軸部３２を突設するとともに大径部３１の直径方向にビス孔３３を形成した固定金具を用い、該固定金具３の軸部３２を床材２の側面に形成した穴２１に挿入するとともに、大径部３１のビス孔３３に挿入したビス３４により、固定金具３を介して、床材２を根太材１に固定することから、固定金具３の軸を挿入する床材２の穴２１はドリルにより現場で施工することができ、これにより、床材２が濡れや湿気によって変形した場合でも、固定金具３が合わなくなるという不具合を解消し、施工を速やかに行うことが可能となる。
【００１９】
この場合、前記軸部３２を大径部３１の両端に突設することにより、隣接する床材２の両方を固定することができ、また、軸部３２の周面にローレット加工３５を施すことにより、床材２の穴２１に挿入した軸部３２を抜けにくくし、次の床材２への軸部３２の挿入や固定金具３のビス止めを容易にすることができる。
【００２０】
以上、本考案の床材の固定構造について、その実施例に基づいて説明したが、本考案は上記実施例に記載した構成に限定されるものではなく、その趣旨を逸脱しない範囲において適宜その構成を変更することができる。
【産業上の利用可能性】
【００２１】
本考案の床材の固定構造は、製材後に床材が変形した場合でも、固定金具が合わなくなるという不具合を解消し、施工を速やかに行うことができるという特性を有していることから、例えば、フローリングやウッドデッキ等の床の用途に広く好適に用いることができる。
【図面の簡単な説明】
【００２２】
【図１】本考案の床材の固定構造の一実施例を示し、（ａ）はその断面図、（ｂ）はデッキ端部の要部拡大断面図、（ｃ）はデッキ中央部の要部拡大断面図である。
【図２】固定金具を示し、（ａ）は軸部が１本の固定金具の３面図、（ｂ）は軸部が２本の固定金具の３面図である。
【図３】デッキ端部の床材の固定を示し、（ａ）は床材の断面図、（ｂ）は床材への固定金具の挿入を示す断面図、（ｃ）は施工後の床材を示す断面図である。
【図４】デッキ中央部の床材の固定を示し、（ａ）は固定金具の正面図、（ｂ）は施工後の床材を示す断面図、（ｃ）は（ｂ）の直角方向の断面図である。
【図５】床材の長手繋ぎを示す斜視図である。
【図６】デッキ終端部の床材の固定を示す断面図である。
【符号の説明】
【００２３】
１    根太材
２    床材
２１  穴
３    固定金具
３１  大径部
３２  軸部
３３  ビス孔
３４  タッピングビス
３５  ローレット加工
４    支持脚
５    高さ調整ボルト
６    根太受け
【図１】
0003117777.tif 000003
【図２】
0003117777.tif 000004
【図３】
0003117777.tif 000005
【図４】
0003117777.tif 000006
【図５】
0003117777.tif 000007
【図６】
0003117777.tif 000008